【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
略平坦基板の二つの面を自動的に積層する装置であって、
該装置は、
第一の薄片供給経路と、
第一の薄片供給部材であって、該部材は、連続的な積層シートに切断される薄片材料のウェブレス供給物を保持することが可能である、第一の薄片供給部材と、
該薄片供給経路に沿って配置された第一の薄片コンベヤであって、該積層シートを運搬する第一の薄片コンベヤと、
入口および出口を有する基板通路であって、該基板通路に沿って基板コンベヤが配置されており、該基板コンベヤは、該基板を該入口から該出口へと運搬できる、基板通路と、
該基板通路に沿った第一の収束ゾーンであって、該収束ゾーンでは該第一の薄片供給経路が第一の基板通路に連結されており、該基板の第一面は、該収束ゾーンにて、第一積層シートと位置合わせされ、該基板通路は、第一の接着ステーションを含み、該第一の接着ステーションにおいて、第一積層シートは該基板の第一面に接着される、第一の収束ゾーンと、
該第一の収束ゾーンに続く基板受容フリップデバイスであって、該基板受容フリップデバイスは、該基板を保持するように構成および配列され、該フリップデバイスは、該基板をフリップして、その結果、該基板の第二面が該基板通路に沿って提示される、基板受容フリップデバイスと、
該基板受容フリップデバイスに続く、該基板通路に沿った第二の収束ゾーンと、
第二の薄片供給経路と、
第二の薄片供給部材であって、該部材は、連続的な積層シートに切断される薄片材料のウェブレス供給物を保持することが可能である、第二の薄片供給部材と、
該薄片供給経路に沿って配置された第二の薄片コンベヤであって、該積層シートを運搬する第二の薄片コンベヤと、
該基板通路に沿った第二の収束ゾーンであって、該第二の収束ゾーンでは該第二の薄片供給経路が該基板通路に連結されており、該基板の第二面は、該収束ゾーンにて、第二積層シートと位置合わせされ、該基板通路は、第二の接着ステーションを含み、該第二の接着ステーションにおいて、第二切断積層シートは該基板の第二面に接着される、第二の収束ゾーンと、
を含み、
該基板通路は、該入口に続く該収束ゾーン、該収束ゾーンに続く該接着ステーション、および該接着ステーションに続く該出口を含み、それにより、該基板の第一面および第二面は共に、該基板通路に沿った該基板の１回の通過中に積層される、装置。
【請求項２】
前記薄片供給部材は、複数の供給部材を含み、該複数の供給部材の各々は、薄片のウェブレス供給物を保持することが可能であり、該ウェブレス供給物の各々は、認証に使用される画像を有している、請求項１に記載の装置。
【請求項３】
前記薄片供給経路は、第一の薄片供給通路および第二の薄片供給通路を含む、請求項１に記載の装置。
【請求項４】
前記第一および第二の薄片コンベヤに沿って配置された１つ以上の薄片センサをさらに備え、
該１つ以上の薄片センサは、前記第一および第二の薄片供給経路に沿って配置された複数のカッターの切断線から所定の距離にある場合を検出することが可能であり、該複数のカッターは、薄片を連続的な積層シートに切断するように構成され、該１つ以上の薄片センサは、該検出に応答して該第一および第二の薄片コンベヤに信号を送るように構成される、請求項１に記載の装置。
【請求項５】
前記複数のカッターは、前記第一の薄片供給通路に沿って配置される第一のカッターと、前記第二の薄片供給通路に沿って配置される第二のカッターとを備える、請求項３に記載の装置。
【請求項６】
前記基板通路に沿って配置された少なくとも２つの基板センサをさらに備え、
該少なくとも１つの基板センサは、前記第一および第二の薄片コンベヤと連絡しており、該基板センサは、前記基板の所定基準が、前記第一および第二の収束ゾーンから所定の距離にある場合を検出することと、該第一および第二の薄片コンベヤに信号を送ることとが可能である、請求項１に記載の装置。
【請求項７】
制御装置をさらに備え、
該制御装置は、前記１つ以上の薄片センサ、前記少なくとも２つの基板センサ、前記第一および第二のコンベヤならびに前記複数のカッターの間で信号を連絡する、請求項６に記載の装置。
【請求項８】
前記少なくとも２つの基板センサおよび前記１つ以上の薄片センサが、前記少なくとも１つの基板センサが前記第一または第二の薄片コンベヤに信号を送る場合に、前記基板の前縁および積層シートの前縁が整列可能であるように、互いに対して位置づけられており、該積層シートは、前記基板通路に沿ったさらなる運搬のために、該整列で維持される、請求項６に記載の装置。
【請求項９】
前記複数の回転カッターは、
回転カッターと、
固定切断ブレードおよび回転切断ブレードと
を含み、該回転切断ブレードは、開放位置から切断位置を経て回転可能であり、該開放位置に回転的に戻り、該開放位置では、該第一および第二の薄片供給経路は、該固定切断ブレードと該回転切断ブレードとの間で伸長しており、該切断位置では、該回転切断ブレードは、該固定切断ブレードと切断可能に噛み合う、請求項４に記載の装置。
【請求項１０】
前記複数のカッターは、それぞれ、スイッチをさらに含み、該スイッチは、前記回転切断ブレードの１回転後、該カッターの噛み合いを外す、請求項９に記載の装置。
【請求項１１】
前記第一および第二の薄片コンベヤは、それぞれ、少なくとも一対のコンベヤローラーから構成され、該対のコンベヤローラーは、
前記第一および第二の薄片供給経路の上に配置された第一ローラーであって、該第一ローラーの周限界は、該供給経路に接する平面と一致している、第一ローラーと、
該第一および第二の薄片供給経路の下に配置された第二ローラーであって、該第二ローラーの周限界は、該平面と一致している、第二ローラーと
をさらに含み、該第一ローラーおよび該第二ローラーは、回転的に駆動され、該ローラーは、薄片および積層シートのうちの一つと噛み合って運ぶことが可能である、請求項１に記載の装置。
【請求項１２】
第一対のローラー、前記複数のカッターおよび第二対のローラーは、順次、前記第一および第二の薄片供給経路に沿って配置されている、請求項１１に記載の装置。
【請求項１３】
前記接着ステーションは、それぞれ、一対のローラーから構成され、該一対のローラーは、
前記基板供給通路の第一面に隣接して配置された第一ローラーであって、該第一ローラーの周限界は、該基板供給通路に接する平面と一致している、第一ローラーと、
該基板供給通路の第二面に隣接して配置された第二ローラーであって、該第二ローラーの周限界は、該平面と一致している、第二ローラーと
をさらに含み、
該第一ローラーおよび該第二ローラーのうちの一つは、加熱要素を有し、
該ローラーは、回転的に駆動され、該ローラーは、積層シートを該基板の上面および下面の一方に接着することと、積層基板を該基板通路に沿って前進することとが可能である、請求項１に記載の装置。
【請求項１４】
前記接着ステーションは、それぞれ、第一対のローラーおよび第二対のローラーをさらに含み、該対のローラーの一方は、前記第一切断積層シートを前記基板の前記第一面に接着し、該対のローラーの他方は、前記第二切断積層シートを該基板の前記第二面に接着する、請求項１３に記載の装置。
【請求項１５】
前記基板受容フリップデバイス上のセンサをさらに備え、該センサは、前記基板が該基板受容フリップデバイス内に位置決めされる場合に該基板を検出するように構成および配列される、請求項１に記載の装置。
【請求項１６】
前記センサが、前記基板が前記基板受容フリップデバイス内に位置決めされることを検出する場合、該基板受容フリップデバイスに、前記基板通路に沿って該基板の前記第二面をフリップおよび提示させる、請求項１５に記載の装置。
【請求項１７】
前記第一および第二の接着ステーションはそれぞれ、第一および第二の加熱されたローラーを備えることにより、前記第一および第二積層シートの前記基板の第一面および第二面への接着を引き起こし、該第一の加熱されたローラーは、該第二の加熱されたローラーの温度よりも高い温度である、請求項１３に記載の装置。